(57)【要約】【課題】装置本体の価格上昇を伴うことなく画像形成位置のＸＹθ方向の調整を精度よく行い且つユーザによる位置ずれ調整も可能とするタンデム方式のカラー画像形成装置を提供する。【解決手段】図５(b) ：拡散反射型センサ１８で黒トナーのパターンを測定してもセンサ出力に変化がほとんどない。図５(a) ：拡散反射型センサ１８でシアンＣ、マゼンタＭ、イエローＹのカラートナーのパターンを測定するとパターンの濃淡に応じてセンサ出力が変化し濃淡の差を測定する点に限れば十分に機能する。１個の濃度センサと１個の格安な拡散反射型センサがあれば、ＸＹ方向は勿論θ方向の位置ズレも容易に且つ精度よく検出することができる。【選択図】      図５
2008058821.tif 000002
【特許請求の範囲】
【請求項１】
駆動ローラと従動ローラの少なくとも２個のローラに掛け渡され循環移動する転写ベルトと、装置本体に対し着脱自在に設けられ前記転写ベルトの外周面に沿って配設され黒色トナー及び異なる有彩色トナーで画像形成する複数の画像形成ユニットと、を有し、前記転写ベルト上に順次重ね画像を形成した後用紙に一括転写する電子写真式のカラー画像形成装置であって、
画像形成空白領域を有し、前記黒色トナー色で画像形成される複数種類の基準色テスト印字パターンと、該基準色テスト印字パターンの前記画像形成空白領域を少なくとも前記転写ベルトの移動方向に対して種々の割合で埋めるべく前記基準色テスト印字パターンに対応して画像形成位置を調整する所定の有彩色トナーで画像形成される複数種類の調整色テスト印字パターンとを、少なくとも記憶する記憶手段と、
該記憶手段から前記複数種類の基準色テスト印字パターンと前記複数種類の調整色テスト印字パターンとを所定の順序で呼び出して対応色の前記画像形成ユニットに転送して前記転写ベルトの移動方向に沿って該転写ベルト上に順次前記基準色テスト印字パターンと前記調整色テスト印字パターンとの重ね画像を列状画像として２列形成すべく制御するテスト印字パターン画像形成制御手段と、
前記転写ベルト上に形成された一方の列の前記重ね画像を照射する照射光の正反射成分を少なくとも検知することにより画像濃度を検出する第１センサと、
該第１センサに基づく各重ね画像パターン毎のパターン全体の濃度平均値を比較し、その値が極値となる特定の重ね画像パターンを判断することに基づいて、前記転写ベルトの移動方向に見て前記画像形成ユニットによる前記基準色の画像形成位置に対する前記調整色の画像形成位置のずれ及び補正すべき補正値を判断する補正値演算手段と、
前記転写ベルト上に形成された他方の列の前記重ね画像を照射する照射光の拡散反射成分を検知することにより画像濃度を検出する第２センサと、
前記第１センサの検出により極値と判断された特定の重ね画像パターンと前記第２センサの検出により極値と判断された特定の重ね画像パターンとの前記転写ベルトの移動方向のずれを比較判断することに基づいて、前記画像形成ユニットによる前記調整色の前記転写ベルトの移動方向に直交する方向の画像形成位置と補正すべき補正値を判断するθ補正値演算手段と、
を備えたことを特徴とするカラー画像形成装置。
【請求項２】
前記第１センサは濃度センサであり、前記第２センサは拡散反射型センサである、ことを特徴とする請求項１記載のカラー画像形成装置。
【発明の詳細な説明】
【技術分野】
【０００１】
本発明は、装置価格の上昇を伴うことなくＸ、Ｙ、θ方向のカラー画像の形成位置の調整を精度よく行うカラー画像形成位置調整装置に関する。
【背景技術】
【０００２】
近年、パーソナルコンピュータの販売台数の増加に連動して、カラー画像形成装置（以下、カラープリンタという）が広く使用されるようになっている。特に画像形成ユニットが多段式に配置されている所謂タンデム方式のカラープリンタが、印字速度に優れているため今日では特に注目されている。
【０００３】
また、タンデム方式のカラープリンタには、用紙を搬送ベルトで搬送しながら、その用紙に４色のトナー画像を重ねて転写して定着する形式のものと、中間転写ベルトに４色のトナー画像を重ねて転写してから、その重ね画像を用紙に一括転写して定着する形成のものとがある。
【０００４】
いずれの形式のものにおいても、タンデム式カラープリンタは、４色のトナー像を順次転写して重ね合わせる方式であるため、印字の副走査方向に移動する搬送ベルト上の用紙に、または中間転写ベルトに、正しい画像形成を行うためには、印字の主走査方向（Ｘ方向）、副走査方向（Ｙ方向）、θ方向（Ｘ方向の向き）に対する各色の位置合わせが重要である。
【０００５】
このため、タンデム方式のカラープリンタにおいては、画像の形成位置の整合や色合いの整合を行うための種々の方法が採られている。一つには、テスト印字パターンを実際に印字して目視によって補正量を判断し、これによって色合い等の調整を行う方式がある。
【０００６】
テスト印字パターンは、パターンの色ごと・パット枠ごとのドット位置のズレ量の方向を、Ｘ方向（主走査方向）に向けて印字するか、Ｙ方向（副走査方向）に向けて印字するかによって、Ｘ方向の位置ズレが判明し、あるいはＹ方向の位置ズレが判明する。
【０００７】
また、このようなテスト印字パターンによる判定を主走査方向の両端で行うことによってθ方向（傾きの方向）のズレが判明する。この判明したズレ量に基づいて位置調整するための補正値を算出して判明した位置ズレを補正する。
【０００８】
しかし、上記の目視による方法は、ルーペ等の拡大鏡を用いて視認して行うものであるから、判断と精度に個人差が生じるうえに、補正方法も煩雑で手数がかかるため、これを個人ユーザが行うことは至難のわざであって殆ど不可能に近い。
【０００９】
これに代わる他の方法として、センサを配置し、テスト印字パターン印字画像の位置ズレをセンサで検知し、自動的に補正量を算出し、これによって画像の形成位置や色合い等の調整を行う方式がある。
【００１０】
上記のセンサを用いて位置ズレを検出する方法は、濃度センサを用いてテスト印字パターンに光を照射し、その正反射成分と乱反射成分からテスト印字パターンの各パッチのトナー量を検出し、その濃度変動からＸ方向やＹ方向の位置ズレを検出するように構成されている。又、θ方向の位置ズレを検出する場合には、２個の濃度センサが必要になる。（例えば、特許文献１、２、３参照。）
【特許文献１】特開２００２−１４８８９０号公報
【特許文献２】特開２０００−０２９２７１号公報
【特許文献３】特開平０６−２５０４８０号公報
【発明の開示】
【発明が解決しようとする課題】
【００１１】
しかしながら、テスト印字した画像をセンサで検知して自動的に補正量を算出する方式は、精度の高い濃度センサを用いる必要がある。ところが、濃度センサは、正反射受光部、拡散反射受光部、アンプ部、出力調整部からなる極めて構成が複雑で高価なセンサである。
【００１２】
θ方向の位置ズレを検出するのに上記のような複雑な構成で高価な濃度センサを２個使用するということは、コストがかかるだけでなく、センサの配設位置にも制約を受けて、プリンタ装置本体のコストアップを招くという問題を有している。
【００１３】
また、位置ズレを検出するためのテスト印字パターンのパッチの測定では、その測定値が正しいかどうかの判定が非常に困難である。したがって、センサのハード的な損傷による異常や機能的な感度不良などがあった場合でも、センサによる測定結果をそのまま採用して補正を実施してしまうことになり、最悪の場合には反対方向に補正をすることが生じる虞もある。
【００１４】
また、位置ズレの検出に安価なセンサを使用した場合は、入力値調整等で光量を調整して位置ズレ検出に使用できる状態にしなければならないが、安価なセンサでは、その発光量や受光感度に非常に大きなバラツキがあり、このため従来からある単純な光量調整アルゴリズムでは対応できない。
【００１５】
また、全自動で位置ズレを調整するシステムで調整実施の時期設定は、操作パネルからのオペレータによる指示入力による。
したがって、オペレータが調整実施中に誤って装置本体の保護カバーを開けたり、電源を切ったりして調整が中断した場合、調整が完了していないことにオペレータ自身が気付いて再度調整を実施すればよいが、オペレータ気付かずにいることが多いため、調整が中断したままで、つまり調整が異常な状態で本体装置が使用される危険性が高かった。
【００１６】
本発明の課題は、上記従来の実情に鑑み、装置本体の価格上昇を伴うことなく画像形成位置のＸＹθ方向の調整を精度よく行い且つユーザによる位置ずれ調整も可能とするタンデム方式のカラー画像形成装置を提供することである。
【課題を解決するための手段】
【００１７】
本発明のカラー画像形成装置は、駆動ローラと従動ローラの少なくとも２個のローラに掛け渡され循環移動する転写ベルトと、装置本体に対し着脱自在に設けられ上記転写ベルトの外周面に沿って配設され黒色トナー及び異なる有彩色トナーで画像形成する複数の画像形成ユニットと、を有し、上記転写ベルト上に順次重ね画像を形成した後用紙に一括転写する電子写真式のカラー画像形成装置であって、画像形成空白領域を有し、上記黒色トナー色で画像形成される複数種類の基準色テスト印字パターンと、該基準色テスト印字パターンの上記画像形成空白領域を少なくとも上記転写ベルトの移動方向に対して種々の割合で埋めるべく上記基準色テスト印字パターンに対応して画像形成位置を調整する所定の有彩色トナーで画像形成される複数種類の調整色テスト印字パターンとを、少なくとも記憶する記憶手段と、該記憶手段から上記複数種類の基準色テスト印字パターンと上記複数種類の調整色テスト印字パターンとを所定の順序で呼び出して対応色の上記画像形成ユニットに転送して上記転写ベルトの移動方向に沿って該転写ベルト上に順次上記基準色テスト印字パターンと上記調整色テスト印字パターンとの重ね画像を列状画像として２列形成すべく制御するテスト印字パターン画像形成制御手段と、上記転写ベルト上に形成された一方の列の上記重ね画像を照射する照射光の正反射成分を少なくとも検知することにより画像濃度を検出する第１センサと、該第１センサに基づく各重ね画像パターン毎のパターン全体の濃度平均値を比較し、その値が極値となる特定の重ね画像パターンを判断することに基づいて、上記転写ベルトの移動方向に見て上記画像形成ユニットによる上記基準色の画像形成位置に対する上記調整色の画像形成位置のずれ及び補正すべき補正値を判断する補正値演算手段と、上記転写ベルト上に形成された他方の列の上記重ね画像を照射する照射光の拡散反射成分を検知することにより画像濃度を検出する第２センサと、上記第１センサの検出により極値と判断された特定の重ね画像パターンと上記第２センサの検出により極値と判断された特定の重ね画像パターンとの上記転写ベルトの移動方向のずれを比較判断することに基づいて、上記画像形成ユニットによる上記調整色の上記転写ベルトの移動方向に直交する方向の画像形成位置と補正すべき補正値を判断するθ補正値演算手段と、を備えて構成される。
【００１８】
このカラー画像記録装置において、例えば、上記第１センサは濃度センサで構成され、上記第２センサは拡散反射型センサで構成される。
【発明の効果】
【００１９】
本発明によれば、基準色印字パターンと調整色印字パターンからなる複数のパターンパッチからなるテスト印字パターンと、照射光の正反射成分を検知するセンサと、照射光の拡散反射成分を検知する安価で簡単な構成のセンサとにより、θ方向の位置ずれを容易に且つ正確に検出するので、配設位置に厳密な精度を要し且つ高価なセンサを２つも用いて装置本体の価格上昇を招くことなく、カラー画像の形成位置のＸＹθ方向の調整を精度よく且つユーザによる位置ずれ調整も可能とするカラー画像形成装置を提供することが可能となる。
【発明を実施するための最良の形態】
【００２０】
以下、本発明の実施の形態を図面を参照しながら説明する。尚、以下の説明では、画像形成を印字ともいい、またベタ印字のことも単に印字といっている。
（実施形態１）
図１は、本発明の実施形態１における画像形成位置調整機能を備えたカラー画像形成装置（以下、単にプリンタという）の内部構成を説明する断面図である。
【００２１】
図１に示すプリンタ１は、電子写真式で二次転写方式のタンデム型のカラー画像形成装置であり、画像形成部２、中間転写ベルトユニット３、給紙部４、及び定着部５で構成されている。
【００２２】
上記画像形成部２は、同図の右から左へ４個の画像形成ユニット６（６Ｍ、６Ｃ、６Ｙ、６Ｋ）を多段式に並設した構成からなる。
上記４個の画像形成ユニット６のうち上流側（図の右側）の３個の画像形成ユニット６Ｍ、６Ｃ及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として文字や画像の暗黒部分等に用いられるブラック（Ｋ）トナーによるモノクロ画像を形成する。
【００２３】
上記の各画像形成ユニット６は、トナー容器（トナーカートリッジ）に収納されたトナーの色を除き全て同じ構成である。したがって、以下ブラック（Ｋ）用の画像形成ユニット６Ｋを例にしてその構成を説明する。
【００２４】
画像形成ユニット６は、最下部に感光体ドラム７を備えている。この感光体ドラム７は、その周面が例えば有機光導電性材料で構成されている。この感光体ドラム７の周面近傍を取り巻いて、クリーナ８、帯電ローラ９、印字ヘッド１１、及び現像器１２の現像ローラ１３が配置されている。
【００２５】
現像器１２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には図では定かに示していないが下部へのトナー補給機構を備えている。
【００２６】
また、現像器１２の下部には側面開口部に上述した現像ローラ１３を備え、内部にトナー撹拌部材、現像ローラ１３にトナーを供給するトナー供給ローラ、現像ローラ１３上のトナー層を一定の層厚に規制するドクターブレード等を備えている。
【００２７】
中間転写ベルトユニット３は、本体装置のほぼ中央で図の左右のほぼ端から端まで扁平なループ状になって延在する無端状の転写ベルト１４と、この転写ベルト１４を掛け渡されて転写ベルト１４を図の反時計回り方向に循環移動させる駆動ローラ１５と従動ローラ１６を備えている。
【００２８】
上記の転写ベルト１４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００２９】
この中間転写ベルトユニット３は、特には図示しないが、転写ベルト１４のループ内にベルト位置制御機構を備えている。ベルト位置制御機構は、転写ベルト１４を介して感光体ドラム７の下部周面に押圧する導電性発泡スポンジから成る一次転写ローラ１７を備えている。
【００３０】
ベルト位置制御機構は、マゼンタ（Ｍ）、シアン（Ｃ）及びイエロー（Ｙ）の３個の画像形成ユニット６Ｍ、６Ｃ及び６Ｙに対応する３個の一次転写ローラ１７を鉤型の支持軸を中心に同一周期で回転させる。
【００３１】
そして、ベルト位置制御機構は、ブラック（Ｋ）の画像形成ユニット６Ｋに対応する１個の一次転写ローラ１７を上記３個の一次転写ローラ１７の周期と異なる回転周期で回転させて転写ベルト１４を感光体ドラム７から離接させる。
【００３２】
すなわち、ベルト位置制御機構は、中間転写ベルトユニット３の転写ベルト１４の位置を、フルカラーモード（４個全部の一次転写ローラ１７が転写ベルト１４に当接）、モノクロモード（画像形成ユニット６Ｋに対応する一次転写ローラ１７のみが転写ベルト１４に当接）、及び全非転写モード（４個全部の一次転写ローラ１７が転写ベルト１４から離れる）に切換える。
【００３３】
上記の中間転写ベルトユニット３の上面部のベルト移動方向最下流側に近接して拡散反射型センサ１８と濃度センサ１９（但し濃度センサ１９は拡散反射型センサ１８と並んで図の向う側に配置されていて図では陰になって見えない）が、本体装置のフレームに固定して配置されている。
【００３４】
また、上記の中間転写ベルトユニット３には、上面部のベルト移動方向最上流側の画像形成ユニット６Ｍの更に上流側に、ベルトクリーナ２１が配置されている。ベルトクリーナ２１は転写ベルト１４上に残留する廃トナーを不図示の廃トナー容器に回収する。
【００３５】
給紙部４は、給紙カセット２２を備え、給紙カセット２２の給紙口（図の右方）近傍には、用紙取出ローラ２３、給送ローラ対２４、待機搬送ローラ対２５が配置されている。待機搬送ローラ対２５の用紙搬送方向（図の鉛直上方向）には、転写ベルト１４を介して従動ローラ１６に圧接する二次転写ローラ２６が配設されて、用紙への二次転写部を形成している。
【００３６】
定着部５は、二次転写部の下流（図では上方）側に配置されたベルト式定着装置２７から成る。ベルト式定着装置２７の更に下流側には、定着後の用紙をベルト式定着装置２７から搬出する搬出ローラ対２８が配設されている。搬出ローラ対２８は、ベルト式定着装置２７から搬出した用紙を上部排紙トレー２９上に排出する。
【００３７】
図２は、上記構成のプリンタ１における、内部の回路構成を示す図である。同図において、回路構成は、インターフェイス（Ｉ／Ｆ）３１、プリンタコントローラ部３２、ＥＥＰＲＯＭ３３、ＲＯＭ３４、操作パネル３５、ヘッドコントローラ部３６で構成されている。
【００３８】
プリンタコントローラ部３２には、本体装置１の内部の適宜の位置に配設されている温湿度センサ３７と図１に示した拡散反射型センサ１８と濃度センサ１９が接続されている。また、図１には図示を省略したが、高圧電源を含む高圧ユニット３８が接続されている。また、他方のヘッドコントローラ部３６には、図１に示した４個の印字ヘッド１１が接続されている。
【００３９】
インターフェイス（Ｉ／Ｆ）３１は不図示のホスト機器から送られてくる印刷データを入力し、印刷データの中の画像データをヘッドコントローラ部３６に出力し、印刷データの中のコマンドをプリンタコントローラ部３２に出力する。
【００４０】
ＥＥＰＲＯＭ３３には後述する黒色トナー色で画像形成される複数種類の基準色テスト印字パターン、画像形成位置を調整するための有彩色トナーで画像形成される複数種類の調整色テスト印字パターン、各種の補正の調整値などが記憶され、ＲＯＭ３４には印刷プログラムや、制御プログラムが記憶されている。
【００４１】
ヘッドコントローラ部３６には、特には図示しないが、イエロー（Ｙ）、マゼンタ（Ｍ）、シアン（Ｃ）、クロ（Ｋ）に対応する４つの領域で構成されたフレームメモリを備えている。ヘッドコントローラ部３６は、インターフェイス（Ｉ／Ｆ）３１から入力される画像データに基づいて、イエロー（Ｙ）、マゼンタ（Ｍ）、シアン（Ｃ）、クロ（Ｋ）のビットマップデータを作成する。
【００４２】
そして、イエロー（Ｙ）のビットマップデータはフレームメモリのイエロー（Ｙ）の記憶エリアに記憶され、マゼンタ（Ｍ）のビットマップデータはフレームメモリのマゼンタ（Ｍ）の記憶エリアに記憶され、シアン（Ｃ）のビットマップデータはフレームメモリのシアン（Ｃ）の記憶エリアに記憶され、クロ（Ｋ）のビットマップデータはフレームメモリのクロ（Ｋ）の記憶エリアに記憶される。
【００４３】
プリンタコントローラ部３２は、本例のプリンタ１の印刷制御及びシステム制御を行うＣＰＵを備えた中央制御部であり、特には図示しないが、時間カウンタ、数値カウンタ、レジスタ等が内蔵され、ＲＯＭ３４に記憶されているプログラムに従って各部の制御を行う。
【００４４】
このプリンタコントローラ部３２は、操作パネル３５に設けられた不図示のキー操作部からの操作信号を入力し、また、これも不図示の表示部に表示信号を出力する。
そして、プリンタコントローラ部３２は、インターフェイス（Ｉ／Ｆ）３１から供給されるコマンドに基づいて、イエロー（Ｙ）、マゼンタ（Ｍ）、シアン（Ｃ）、クロ（Ｋ）毎に、印字指令をヘッドコントローラ部３６に出力する。
【００４５】
ヘッドコントローラ部３６は、上記の印字指令に基づいて、イエロー（Ｙ）の印字データを画像形成ユニット６Ｋの印字ヘッド１１に供給し、マゼンタ（Ｍ）の印字データを画像形成ユニット６Ｍの印字ヘッド１１に供給し、シアン（Ｃ）の印字データを画像形成ユニット６Ｃの印字ヘッド１１に供給し、クロ（Ｋ）の印字データを画像形成ユニット６Ｋの印字ヘッド１１に供給する。そして、各画像形成ユニット６によって前述の各色の印字が行われる。
【００４６】
また、ヘッドコントローラ部３６は、上記の印字データを各印字ヘッド１１に供給すると共に、その実印字ドット数等を、プリンタコントローラ部３２に通知する。
図３(a) は、上記構成のプリンタ１におけるＸＹθ位置ズレ補正機構を示す斜視図であり、同図(b) は、その平面図である。尚、図３(a),(b) には、図１及び図２で示した構成と同一の構成又は機能の部分には、図１及び図２と同一の番号を付与して示している。
【００４７】
図３(a),(b) に示すように、本例における画像形成のＸＹθ位置ズレ補正機構では、図１にも示したように、転写ベルト１４の下流側表面に近接して、装置本体１の前後（フロントとリア）に配置された第２センサとしての拡散反射型センサ１８と第１センサとしての濃度センサ１９を備えている。
【００４８】
一般に、プリンタや複写機では、装置本体への電源投入時、用紙ジャムが発生したときのジャム処理後、電源を止めて消耗品の交換をした後等に、ＸＹθ方向の印字位置ズレを検出して補正が行われるが（ＸＹθ位置ズレ補正）、本例においても同様である。
【００４９】
ＸＹ方向の印字位置ズレ補正は、転写ベルト１４上にテスト印字パターンを印字し、このテスト印字パターンを濃度センサ１９で読み取る。濃度センサ１９は、テスト印字パターンの各パッチの濃度差から、Ｘ方向又はＹ方向の印字位置ズレを検出する。この検出結果に基づいて、Ｘ方向又はＹ方向の印字位置の補正が行われる。
【００５０】
尚、このＸＹ位置ズレ補正は、１個の濃度センサを用いて一般的に行われていることなので、ここでは説明を省略し、以下の画像形成位置の補正では、専らθ位置ズレ補正について説明する。
【００５１】
θ位置ズレ補正は、既に従来技術の項で説明したように、一般的には２個の濃度センサを用いて行われる。しかし、本例では、上述したように、拡散反射型センサ１８と濃度センサ１９で行う。
【００５２】
このθ位置ズレ補正では、画像形成部２によって、図３(a),(b) に示すように、拡散反射型センサ１８に対応する転写ベルト１４上の位置に、テスト印字パターン３９ｆが印字され、濃度センサ１９に対応する転写ベルト１４上の位置に、テスト印字パターン３９ｒが印字される。
【００５３】
このテスト印字パターン３９ｆ及び３９ｒは、印字される位置が転写ベルト１４の前側端部と後側端部とに異なるだけで、同一のパターンからなるテスト印字パターンである。
図４(a) は、上記のテスト印字パターン３９ｒを読み取る濃度センサ１９の構成と動作原理を説明する図であり、同図(b) は、拡散反射型センサ１８の構成と動作原理を説明する図である。
【００５４】
図４(a) に示すように、濃度センサ１９は、１個の発光部４１と３個の受光部４２（４２−１、４２−２、４２−３）と２個の偏向ビームスプリッタ４３（４３−１、４３−２）とで構成されている。
【００５５】
上記の発光部４１には、赤外発光ダイオードが配設されており、受光部４２にはそれぞれランプタイプ又はチップタイプのフォトダイオードが配設されている。また、偏向ビームスプリッタ４３は、薄膜蒸着ガラスで形成されている。
【００５６】
上記受光部４２の各出力電流は、不図示の変換アンプにより電圧に変換される。この濃度センサ１９の電圧に変換される出力は、受光部４２−２の出力から受光部４２−３の出力を減算した出力（以下、センサ出力という）の他に、受光部４２−１の発光出力モニタ用の出力（以下、モニタ出力という）が外部出力となっている。
【００５７】
この濃度センサ１９は、上記のモニタ出力を利用して発光素子駆動電流にフィードバックをかけることで、電源投入時の出力安定性の向上や温度特性の補正などを行うようになっている。
【００５８】
これにより、この濃度センサ１９は、電源投入直後からの使用が可能（安定時間１秒以内）であり、周囲の温度変化の影響を受けず（変動率は０〜６０℃で±５％）、ＬＥＤの長期的な出力性能の低下に対して補償が利くという利点を有している。
【００５９】
この濃度センサ１９の動作原理は、検出面４５が正反射で、トナー表面（不図示）が乱反射であるという検出面４５とトナー表面との反射特性の違いを利用して、検出面４５からの反射光４６がトナーによってどの程度遮光されるかを検出するものである。
【００６０】
このとき、発行部４１から放射された投光４４は、ランダムな偏光状態であるが、偏向ビームスプリッタ４３−１によって、入射面に対して垂直方向に振動する光成分（以下、Ｓ波光という）と入射面に対して平行方向に振動する光成分（以下Ｐ波光）とに分離される。
【００６１】
Ｓ波光４７は偏向ビームスプリッタ４３−１で反射して受光部４２−１に入射し、Ｐ波光４８は偏向ビームスプリッタ４３−１を透過して検出面４５に投光される。
検出面４５にトナーがない場合、Ｐ波光４８は検出面４５で正反射するため偏光状態は変化せず、そのまま偏向ビームスプリッタ４３−２を透過して、受光部４２−２に入射する。
【００６２】
一方、検出面４５にトナーが付着している場合、トナーに照射された投光４８は、乱反射によって偏光状態がランダムになり、偏向ビームスプリッタ４３−２によってＰ波光とＳ波光とに分離比率１：１で分離される。
【００６３】
そして、Ｐ波光４９は偏向ビームスプリッタ４３−２を透過して受光部４２−２に入射し、Ｓ波光５１は偏向ビームスプリッタ４３−２で反射して受光部４２−３に入射する。
よって、受光部４２−３には検出面４５からの反射光とトナーからの反射光の半分が入射し、受光部４２−２にはトナーからの反射光の半分だけが入射することになる。
【００６４】
ここで、受光部４２−２の出力から受光部４２−３の出力を減算することでトナーからの反射光をキャンセルし、検出面４５からの反射光の増減だけをセンサ出力として取り出し、これによってトナー量を検出する。
【００６５】
すなわち、検出面のトナー量が増えれば検出面からの反射光が減少するためセンサ出力が減少し、トナー量が減少すれば検出面からの反射光が増加してセンサ出力が増加する。上記のようにトナーからの反射光はキャンセルされているためセンサ出力はトナーの反射率には影響を受けない。
【００６６】
したがって、イエロー、マゼンタ、シアン、クロの各色とも、同様のトナー量に対して同様のセンサ出力カーブとなる。また、各色トナー毎に補正係数を乗算するという若干の修正手続きは必要ではあるが、黒、カラーも含めて全てのトナーを同一に処理することが可能である。
【００６７】
一方、図４(b) に示す拡散反射型センサ１８は、ＬＥＤ５２と受光素子５３から形成されている。この拡散反射型センサ１８は、転写ベルト１４上にトナー５４があった場合、そのトナー５４に当ったＬＥＤ５２からの照射光５５が拡散し、拡散光５６の一部が受光素子５３へ入る構造になっている。
【００６８】
図５(a) は、拡散反射型センサ１８によりカラートナーのパターンを測定した場合のグラフを示し、同図(b) は、拡散反射型センサ１８により黒トナーのパターンを測定した場合のグラフを示している。尚、同図(a),(b) は、いずれもグラフの上方に、実際に転写ベルト１４上に重ね転写された測定試験用のパターンをそれぞれ示している。
【００６９】
図５(a) に示すように、拡散反射型センサ１８でシアンＣ、マゼンタＭ、イエローＹのカラートナーのパターンを測定すると、パターンの濃淡に応じてセンサ出力が変化している。しかし、黒トナーのパターンを測定した場合には、黒トナーの拡散光がほとんど無いのでセンサ出力には、ほとんど変化が現れない。
【００７０】
このように、拡散反射型センサ１８は、図５(b) に示すように、明度の無い黒トナーのパターンには反応しないが、同図(a) に示すように、明度を持ったＣＭＹのカラートナーのパターンの拡散反射光には反応する。
【００７１】
この拡散反射型センサ１８のカラートナーのパターンの濃淡に応じた出力は、濃度値としては絶対的なものではなく、明るさの差程度のものであるが、パターンの濃淡の程度を測定する点に限れば十分に機能するセンサ出力である。
【００７２】
本例では、この拡散反射型センサ１８の特性を利用して、画像形成位置のθ方向の位置ズレを検出する。θ方向の位置ズレは、転写ベルト１４の前後（以下、図３(a),(b) 参照）におけるＹ方向（転写ベルト１４の移動方向）のズレの差分である。
【００７３】
この前後方向におけるＹ方向の位置ズレの差分を検出するには、濃度センサ１９と拡散反射型センサ１８に対して、テスト印字パターン３９（３９ｒ、３９ｆ）として、黒色トナーによる複数種類の基準色テスト印字パターンとＣＭＹカラートナー（有彩色トナー）による複数種類の調整色テスト印字パターンとを所定のドット数ごとに位置ズレさせて重ね合わせたパターンを画像形成する。
【００７４】
転写ベルト１４は黒地であり、その上に黒色トナーのパッチとカラートナーのパッチが所定のドット数ごとに位置ズレさせて重ね合わせられるので、黒色トナーのパッチと黒色トナーのパッチとの間に、カラートナーのパッチが最も良く露出している部分が最も明るい部分として検出される（センサ出力としては最も低くなる）。
【００７５】
図６は、濃度センサ１９と拡散反射型センサ１８によるθ方向の位置ズレ検出の原理を説明する図である。同図は横軸に転写ベルト１４のＹ方向に画像形成されれたテスト印字パターン３９のパッチ枠の並び順を示しており、縦軸にセンサ出力を示している。
【００７６】
図６において、▲印でプロットされているグラフは、基準となる濃度センサ１９による出力を示しており、＋印でプロットされているグラフは、拡散反射型センサ１８による出力を示している。
【００７７】
濃度センサ１９による出力の、パッチ枠の最も明るい部分の読み取りを示す極値は、パッチ枠の並び順５のところである。これに対して拡散反射型センサ１８の出力の、パッチ枠の最も明るい部分の読み取りを示す極値は、パッチ枠の並び順６のところである。
【００７８】
すなわち、図６に示す例では、基準となる濃度センサ１９による出力の極値に対して拡散反射型センサ１８の出力の極値は、転写ベルト１４の移動方向でパッチ枠１枚分だけプラス側に位置ズレしている。この位置ズレがθ方向の位置ズレとなる。
【００７９】
図７(a) は、図３(a),(b) に示した、テスト印字パターン３９のパッチ枠の並び方を示す図であり、(b),(c),(d) は各パッチ枠内の黒色トナーのパッチと、有彩色トナーのパッチとの重なり関係を模式的に示す断面図である。
【００８０】
図８(a),(b) は、上記黒色トナーのパッチと有彩色トナーのパッチの重なり関係をより具体的に模式的に示す断面図を、拡散反射型センサ１８と転写ベルト１４と共に示す図である。尚、転写ベルト１４は、実際は黒色であるが、黒トナーの状態を明確に図示するため、転写ベルト１４を白で示している。
【００８１】
尚、図７(a) に示すテスト印字パターンは、黒色トナーで画像形成される複数種類に区分けされるパッチ枠の並びからなる基準色テスト印字パターンと、所定の有彩色トナー（マゼンタＭ、シアンＣ、又はイエローＹ）で画像形成される複数種類に区分けされるパッチ枠からなる調整色テスト印字パターンとが所定の異なる位置ズレを持って重ね印字されたものである。
【００８２】
図７(a) は、中央部に補正値±０のパッチ枠がある。補正値±０のパッチ枠では、図７(b) に示すように、１０ドット幅の画像形成空白領域５７おきに形成されている２２ドット幅の黒トナーのパッチ５８（以下、Ｋパッチ５８という）が画像形成され、それらＫパッチ５８の間に、ちょうど１０ドット幅の３個（図７(b) では１個のみ示す）の有彩色トナーのパッチ５９（ここでは例としてマゼンタトナーを用いるものとして、以下Ｍパッチ５９−１という）が表面を露出させている。
【００８３】
図８(a) は、上記中央部の補正値±０のパッチ枠の印字状態を示している。３個のＭパッチ５９−１が全面露出している。すなわち、Ｍパッチ５９−１部分の幅方向の露出面積は１０×３ドット分の全面露出となっている。
【００８４】
したがって、このパッチ枠を拡散反射型センサ１８（濃度センサ１９の場合も同じ）で検出したときは、テスト印字パターンの最大明度の部分として認識される。このときのセンサ出力を、出力チャートとして示したものが図６に示したチャートであり、最大明度の部分はチャートの谷部分として示されている。
【００８５】
図７(a) に戻り、中央部に補正値±０のパッチ枠の下流側（転写ベルト１４の移動方向前方、図の左方）に隣接して、補正値＋２のパッチ枠が続いている。
補正値＋２のパッチ枠では、図７(c) に示すように、１０ドット幅の画像形成空白領域５７おきに形成されている２２ドット幅のＫパッチ５８とＫパッチ５８との間で、３個（図７(c) では１個のみ示す）のＭパッチ５９−１が上流側（図の右側）に２ドットずれて印字されている。つまり上流側に２ドットずれた分、Ｋパッチ５８がＭパッチ５９−１の上に重なっている。
【００８６】
更に、図７(a) に示すように、補正値＋２のパッチ枠の下流側に隣接して、補正値＋４のパッチ枠が続いている。補正値＋４のパッチ枠では、図７(d) に示すように、１０ドット幅の画像形成空白領域５７おきに形成されている２２ドット幅のＫパッチ５８とＫパッチ５８との間で、３個（図７(d) では１個のみ示す）のＭパッチ５９−１が上流側に４ドットずれて印字されている。つまり上流側に４ドットずれた分、Ｋパッチ５８がＭパッチ５９−１の上に重なっている。
【００８７】
このように、図７(a) に示すテスト印字パターンは、中央部の補正値±０のパッチ枠の下流側に隣接して続いて、上流側にＭパッチ５９−１が２ドットごとにズレ量が増えていく５個のプラス補正用パッチ枠、すなわち補正値＋２、補正値＋４、補正値＋６（以下の図は省略）、補正値＋８、補正値＋１０の各パッチ枠が連続して形成されている。
【００８８】
尚、補正値＋１０のパッチ枠では、特には図示しないが、Ｍパッチ５９−１とＫパッチ５８が完全に重なっている。
図８(b) は、補正値＋６のパッチ枠の印字状態を示している。それぞれ１０ドット幅の３個のＭパッチ５９−１が、上流側６ドット分をＫパッチ５８に覆われており、転写ベルト１４は前述したようにＫパッチ５８と同様の黒色であるので、この補正値＋６のパッチ枠は「（１０−６＝４）×３」ドット分に相当する明度に低下している。
【００８９】
また、図７(a) において、中央部の補正値±０のパッチ枠の上流側（転写ベルト１４の移動方向後方、図の右方）にも、上記とは逆にＭパッチ５９−１が、下流側に２ドットごと位置ズレするマイナス補正用パッチ枠として、補正値−２、補正値−４、補正値−６（以下の図は省略）、補正値−８、補正値−１０の５個のパッチ枠が連続して並んでいる。
【００９０】
このように、中央部の一番明るい補正値±０のパッチ枠を中心に、Ｍパッチ５９−１が上流と下流側にそれぞれ２ドットずづ位置ズレした５個のパッチ枠を伴ったテスト印字パターン３９を濃度センサ１９と拡散反射型センサ１８（図３(a),(b) 参照）で読み取って、テスト印字パターン３９のパッチ枠の明度の極値を検出する。
【００９１】
上記θ方向の位置ズレの検出のためのテスト印字パターン３９では、ＫパッチとＭパッチの組み合わせで説明したが、これに限ることなく、Ｋパッチといずれか１つの有彩色トナーパッチとの組み合わせでもよい。
【００９２】
図９(a) は、拡散反射型センサ１８のパッチ明度の検出機能を実験するために使用されたテスト印字パターンを模式的に示す図であり、同図(b) はそのテスト印字パターンをそれぞれ濃度センサ１９と拡散反射型センサ１８で読み取らせた場合のセンサ出力チャートである。
【００９３】
尚、図９(a) に示すテスト印字パターン６０は、ＫパッチとＭパッチ（マゼンタパッチ）の組み合わせで１６４パッチ枠（中央の補正値±０のパッチの上流と下流に８２パッチ）、ＫパッチとＣパッチ（シアンパッチ）の組み合わせで１６４パッチ枠、ＫパッチとＹパッチ（イエローパッチ）の組み合わせで１６４パッチが連続して形成されている。
【００９４】
このテスト印字パターン６０の印字方向は、図の左から右方向である。つまり、このテスト印字パターン６０が印字された転写ベルト１４の移動方向の向きは、図の右から左方向である。
【００９５】
また、同図(b) は横軸に同図(a) の各パッチ枠ナンバを１〜４９４（ＭとＣ、ＣとＹの境目に、それぞれ１個のダミーパッチ枠がある）まで示し、縦軸に０〜１４０までのセンサ出力を示している。
【００９６】
図９(b) に示すように、マゼンタ（Ｍ）、シアン（Ｃ）、イエロー（Ｙ）の有彩色の色の種別に拘わりなく、濃度センサ１９と拡散反射型センサ１８が検知するパッチ明度の極値はほぼ同様の部分に表れている。
【００９７】
すなわち、マゼンタ（Ｍ）ではパッチ番号６８〜８６の近傍で、シアン（Ｃ）ではパッチ番号２３９〜２５６の近傍で、そしてイエロー（Ｙ）ではパッチ番号３９２〜４０９の近傍で極値（谷部）が表れている。
【００９８】
実は、図９(a) に示すテスト印字パターン６０は、Ｋパッチに対するカラー（ＭＣＹ）パッチの位置ズレ方向が転写ベルト１４の移動方向になっているＹ方向の位置ズレ検出用のテスト印字パターンである。
【００９９】
そして、このテスト印字パターンでＹ方向の位置ズレを検出して、その位置ズレを補正する際には、テスト印字パターンの読取に濃度センサ１９が用いられる。濃度センサ１９が精密な明度（カラートナー量）読取機能を有することは、既に図４(a) で説明したとおりである。
【０１００】
このように濃度センサ１９の場合と同じ構成のテスト印字パターン６０に対する明度読み取りに拡散反射型センサ１８を用いても、図９(b) に示すように、テスト印字パターン６０のどの色のパッチ枠に対する明度検出においても、濃度センサ１９と同様の極値の検出ができる、つまり、拡散反射型センサ１８でも、センサ出力チャート上で、明度の差により、谷型の極値を得ることができる、ということが判明する。
【０１０１】
この拡散反射型センサ１８によるテスト印字パターンに対する出力機能を利用すれば、補正可能な補正値の単位が、パッチ枠で検出可能なずれ量よりも小さい場合でも真の補正値を検出することが可能となる。
【０１０２】
図１０は、本例において、上記のような拡散反射型センサ１８のセンサ出力に基づいて行われるθ方向の位置ズレ補正値の算出方法を説明する図である。同図は検出拡散反射型センサ１８のテスト印字パターン３９に対するセンサ出力のプロット図である。横軸に示す「パッチ１」は「１番目のパッチ枠番号」を表している（以下同様）。
【０１０３】
同図において、先ず、拡散反射型センサ１８から得られた値が極値（Ｄｐとする）となるテスト印字パターン３９のパッチ枠番号Ｐ（Ｐ＝１、２、３、・・・、１１）を求める。図１０の例では「パッチ７」である。
【０１０４】
そして、テスト印字パターン３９の中でセンサ出力が極値Ｄｐとなるパッチ枠番号Ｐ（パッチ７）を見つけたならば、その下流側に隣接するパッチ枠番号Ｐ−１（パッチ６）に対する拡散反射型センサ１８の出力Ｄｐ−１と、上流側に隣接するパッチ枠番号Ｐ＋１（パッチ８）に対する拡散反射型センサ１８の出力Ｄｐ＋１を求め、上記の出力ＤｐとＤｐ−１の差△Ｌと、出力ＤｐとＤｐ＋１の差△Ｒを取得する。
【０１０５】
そして、△Ｌと△Ｒとの大小を比較し、図１０のように△Ｒ＞△Ｌである場合は、その拡散反射型センサ１８の出力差の大きい方のパッチ枠番号Ｐ−１のパッチ枠（パッチ６）が存在するパッチ枠群（パッチ１〜パッチ６）に拡散反射型センサ１８の出力が最小となったパッチ枠Ｐ（パッチ７）を加える。
【０１０６】
また、拡散反射型センサ１８の出力Ｄｐが最小となるパッチＰを加えなかった方のパッチ枠群（パッチ８〜パッチ１１）とあわせて２つのパッチ群を作成する。
そして、これら２つのパッチ枠群から２つの近似直線ａ１及びａ２を算出し、それら２つの近似直線ａ１及びａ２の交点ｋを求める。そして、この交点ｋの横軸座標を真の補正値とする。
【０１０７】
このようにして拡散反射型センサ１８の出力から導いたＹ補正値（フロント側、図３(a),(b) 参照）と、濃度センサ１８の出力から導いたＹ補正値（リア側、図３(a),(b) 参照）の差分から、θ方向の位置ズレの補正を行うことができる。
【０１０８】
このように、極めて高価な濃度センサーを２個も使わずに１個のみ用い、他の１つに安価な拡散反射型センサを用いて、それぞれの出力データからθ方向の位置ズレを検出し、θ方向の位置ズレを補正することができる。
【０１０９】
（実施形態２）
ところで、拡散反射型センサ１８のＬＥＤ５２は、一般的に発光量にバラツキを有している。また、受光素子５３も、通常、その受光感度に大きなバラツキを持っている。
【０１１０】
このようなＬＥＤと受光素子の特性にバラツキのある拡散反射型センサを、そのまま使用してテスト印字パターンを測定した場合、受光素子が出力不足になったり、ＬＥＤの光量が強すぎて受光素子の出力が飽和してしまうような虞が生じる。
【０１１１】
これでは濃度センサ１８と協働して正確なθ方向の位置ズレ補正はできないので、拡散反射型センサ１８の機能調整を行ってθ方向位置ズレ検出に使用できる状態にしなければならない。この拡散反射型センサ１８の機能調整について実施形態２として以下に説明する。
【０１１２】
図１１は、拡散反射型センサ１８の機能調整を行う処理のフローチャートである。尚、この処理は、図２に示すプリンタコントローラ部３２によって行われる処理である。また、本例では、拡散反射型センサ１８に対しては、プリンタコントローラ部３２のＤ／ＡポートからＬＥＤ５２の光量を変更できるように構成されている。
【０１１３】
図１２(a) は、上記の処理工程において、転写ベルト１４（不図示）上にカラートナー１色（ＭＣＹのいずれでも良い）で印字された拡散反射型センサ１８のキャリブレーションチャートであり、同図(b) は、拡散反射型センサ１８の機能調整中のセンサ出力を示す図である。
【０１１４】
図１１において、先ず、モータがオンとなる（Ｓ１）。
この処理では、図１２(b) に示す時間ｔ０において、図１及び図２に示した画像形成装置１に電力が投入される。
【０１１５】
次に、センサのＬＥＤ出力がオンにされ、その光量が「１」にセットされる（Ｓ２）。
この処理では、拡散反射型センサ１８のＬＥＤ５２が点灯駆動されて、そのセンサ出力の光量（ＬＥＤ駆動電圧の制御量、以下同様）が最小の「１」になるように設定される。
【０１１６】
すなわち、拡散反射型センサ１８は、最初は転写ベルト１４の黒色の面を検出することになるので、図１２(b) に示すように、そのベルト面の出力（ベルト面に対応する拡散反射型センサ１８のセンサ出力）が時間ｔ０の出だしにおいて最小の光量値「１」になるように設定するものである。
【０１１７】
続いて、専用パッチがベルト上に印字される（Ｓ３）。
この処理では、転写ベルト１４上に、図１２(a) に示すようなキャリブレーションチャート６１が印字される。
【０１１８】
このキャリブレーションチャート６１の印字方向は矢印で示すように左から右方であるので、転写ベルト１４の移動方向の向きは右から左方である。すなわち、キャリブレーションチャート６１の先端は同図(a) において左端部となっている。
【０１１９】
次に、専用パッチの先頭がセンサの上に到達したか否か判別する（Ｓ４）。
この処理では、キャリブレーションチャート６１の先端が拡散反射型センサ１８によって検出されたか否かが判別される。
【０１２０】
そして、専用パッチの先頭がセンサの上に到達していなければ（Ｓ４がＮｏ）、ベルトの測定を行って、ＳＵＭ値に加算する（Ｓ５）。
この処理では、図１２(b) に示すように、時間ｔ０から、時間ｔ１で専用パッチの先頭がセンサの上に到達するまでの間、所定の間隔でベルト面の測定が行われ、その測定回数と合算値が順次メモリに記憶される。
【０１２１】
そして、時間ｔ１で専用パッチの先頭がセンサの上に到達すると（Ｓ４がＹｅｓ）、ベルト測定平均値ＢＶ１を算出する（Ｓ６）。
この処理では、上記メモリに記憶されているベルト面測定の測定回数と合算値に基づいてベルト面測定のセンサ出力の平均値ＢＶ１が算出される。
【０１２２】
続いてセンサの調整が行われる（Ｓ７）。
この処理では、キャリブレーションチャート６１のパッチ測定時における拡散反射型センサ１８のセンサ出力電圧をＴＶ１とし、上記のベルト面測定の平均値ＢＶ１との差分「ＢＶ１−ＴＶ１」を算出する。
【０１２３】
この差分の算出では、図１２(b) に示すように、上記時間ｔ１で専用パッチの先頭がセンサの上に到達したことを確認してから時間ｔ２で、一旦ＬＥＤ５２の光量を最大にしてセンサ出力値が飽和した時の光量値を２５５に設定した後、時間ｔ３で中間の光量値１２７に設定する。
【０１２４】
そして、徐々に光量値を「１２７」から上げながら、その光量値での拡散反射型センサ１８によるパッチ測定のセンサ出力電圧ＴＶ１と、上記既に得られているベルト面測定のセンサ出力の平均値ＢＶ１との電圧差を求め、その電圧差が１．５Ｖ、つまりＴＶ１＝ＢＶ１−１．５Ｖ、となるような光量値を見つけ出す。
【０１２５】
この光量値を見つけ出すには、ＬＥＤ５２を中間光量「１２７」で点灯し、テスト印字パターン６１を測定して、測定値Ｄｐを取得する。そして、測定値Ｄｐ＜目標値Ｖｆの場合には、現状の光量「１２７」の測定に対して、目標方向は「Ｕｐ」と決定される。他方、Ｄｐ≧Ｖｆの場合は、目標方向が「Ｄｏｗｎ」であると決定される。
【０１２６】
光量を変化させていった時に、その測定値Ｄｐが目標値Ｖｆに対し最も接近したことを認識するための目標値Ｖｆとの差分絶対値Ｓｎと、その時の光量値Ｎｎを初期化（Ｓｎ←２５５、Ｎｎ←１２７）した後、以下の処理を繰返す。
【０１２７】
先ず、光量Ｎｓで点灯して測定値Ｄｐを取得し、目標値Ｖｆとの接近値Ｄｓ（測定値Ｄｐ−目標値Ｖｆ）を算出する。
そして、目標値Ｖｆと一致（Ｄｓ＝０）した場合には、光量Ｎｓを最も接近した光量Ｎｎとして登録し、調整処理を終了する。
【０１２８】
また、一致しなかった場合は、目標方向がＵｐの場合にＤｓ＜０となったか又は目標方向がＤｏｗｎの場合にＤｓ＞０になったとき、目標値Ｖｆを超えたと判断できる。この場合は、前回までに更新された接近光量Ｎｎでの測定を目標値Ｖｆと交差する点と見なす。また、この時点で調整処理を終了する。
【０１２９】
また、一致せず、且つ上記の条件に合致しないときは、それまでの接近値Ｄｓに対して接近度が増した（｜Ｄｓ｜＜Ｓｎ）場合、接近値を更新（Ｓｎ←｜Ｄｓ｜）して、且つ、それに伴う接近光量も併せて更新（Ｎｎ←Ｎｓ）する。
【０１３０】
また、光量Ｎｓが調整範囲（１〜２５５）の限界に到達した場合、調整処理を終了する。他方、光量Ｎｓが調整範囲（１〜２５５）内場合は、光量Ｎｓを更新（ＬＥＤ調整方向が加算指定なら＋１、減算指定なら−１）して、光量Ｎｓで測定値Ｄｐを取得して目標値Ｖｆとの接近値Ｄｓを算出する処理に戻る。
【０１３１】
このように繰り返して、最終的に導き出された接近光量Ｎｎを、ベスト光量値Ｎｆとして確定（Ｎｆ←Ｎｎ）する。これにより、図１１に示す拡散反射型センサ１８の機能調整が終了する。
【０１３２】
このように、拡散反射型センサの性能的なバラツキを吸収し、安定した出力を得ることができるので、安価な拡散反射型センサでも安定したθ方向位置ズレの補正を行うことができる。また、性能的なバラツキを吸収することができるので、感度選別をすることなく安価な拡散反射型センサを使用することができる。
【０１３３】
（実施形態３）
ところで、一般に、画像形成装置においては、工場からの製品出荷時や、市場での中間転写ベルトの交換時、印字ヘッドの交換時等では、大きな位置ズレが発生しやすい。このようなときは、通常は自動調整が利かないので、オペレータは手動でＸＹθ各方向の位置ズレ補正を行う。
【０１３４】
しかし、本発明の拡散反射型センサ１８を用いれば、オペレータによって、オペレーションパネルからＸＹθ各方向の位置ズレ補正の指示を入力しただけで、全自動でＸＹθ各方向の位置ズレを補正することができる。これについて、実施形態３として以下に説明する。
【０１３５】
図１３は、実施形態３におけるＸＹθ各方向の位置ズレを全自動で補正する処理のフローチャートである。この処理では、先ず最初は位置ズレを粗く測定し、次に、その測定結果に基づいて位置ズレをより細かく測定するということを行う。
【０１３６】
図１４(a),(b),(c) は、上記の処理において粗く測定する場合に用いられるテスト印字パターンのパッチ枠の構成を説明する図である。
最初に、図１４(a),(b),(c) に示すテスト印字パターンについて説明する。図１４(a),(b),(c) に示すテスト印字パターンは、図７(b),(c),(d) に示したテスト印字パターンのパッチ枠のＫパッチとＭパッチにおける２ドットごとのズレ量を、それぞれ４倍のズレ量にして印字されている。
【０１３７】
すなわち  テスト印字パターンの中央部における補正値±０のパッチ枠では、図１４(a) に示すように、４０ドット幅の画像形成空白領域６２おきに形成されている８８ドット幅の黒トナーのパッチ（Ｋパッチ）６３が画像形成され、それらＫパッチ６３の間に、ちょうど４０ドット幅の３個（図１４(a) では１個のみ示す）の有彩色トナー（ここでは例としてマゼンタトナー）のＭパッチ６４が表面を露出させている。
【０１３８】
この補正値±０のパッチ枠の転写ベルト１４の移動方向前方（図の左方）に隣接して、同図(b) に示す補正値＋８のパッチ枠が続いている。
補正値＋８のパッチ枠では、同図(c) に示すように、４０ドット幅の画像形成空白領域６２おきに形成されている８８ドット幅のＫパッチ６３とＫパッチ６３との間で、３個（図１４(b) では１個のみ示す）のＭパッチ６４が上流側（図の右側）に８ドットずれて印字されている。
【０１３９】
更に、この補正値＋８のパッチ枠の下流側に隣接して、補正値＋１６のパッチ枠が続いている。補正値＋１６のパッチ枠では、図１４(c) に示すように、４０ドット幅の画像形成空白領域６２おきに形成されている８８ドット幅のＫパッチ６３とＫパッチ６３との間で、３個（図１４(c) では１個のみ示す）のＭパッチ６４が上流側に１６ドットずれて印字されている。
【０１４０】
このように、テスト印字パターンは、中央部の補正値±０のパッチ枠の下流側に隣接して続いて、上流側にＭパッチ６４が図７の４倍のドット量でズレ量が増えていく５個のプラス補正用パッチ枠、すなわち補正値＋８、補正値＋１６、補正値＋２４、・・・の各パッチ枠が連続して形成されている。
【０１４１】
中央部の補正値±０のパッチ枠の転写ベルト１４の移動方向後方（図の右方）にも、上記とは逆にＭパッチ６４が、下流側に図７の４倍のドット量ごとに位置ズレする５個のマイナス補正用パッチ枠が連続して並んでいる。
【０１４２】
このように、粗く測定する場合に用いられるテスト印字パターンのパッチ枠は、中央部の補正値±０のパッチ枠を中心に、上流と下流に、それぞれ図７の４倍のドット量ごとに位置ズレする粗い補正値の５個のパッチ枠が並んで形成されている。
【０１４３】
続いて、図１３のフローチャートに従って、本例の処理を説明する。図１３において、ＸＹθ各方向の位置ズレを全自動で補正する処理がスタートすると、先ず、θセンサキャリブレーション処理が行われる（Ｓ１０１）。
【０１４４】
この処理は、図１１及び図１２で説明した拡散反射型センサ１８の感度を適正な感度に調整する処理である。
次に、Ｙ方向調整用拡大パッチ（４倍）を印字する（Ｓ１０２）。
【０１４５】
この処理は、図１４に示す図７の４倍のドット量ごとに位置ズレする粗い補正値のテスト印字パターンを、図９(a) のように、黒とマゼンタ、黒とシアン、黒とイエローの３種の組み合わせで、図３(a),(b) に示した濃度センサ１９に対応する転写ベルト１４上の位置（テスト印字パターン３９ｒの位置）に印字する処理である。
【０１４６】
そして、Ｙ補正値を取得して、更新処理する（Ｓ１０３）。
この処理は、上記のＸ方向に粗い補正値のテスト印字パターンを濃度センサ１９で読み取って、基準となる黒トナーの印字位置に対するマゼンタの位置ズレ、シアンの位置ズレ、イエローの位置ズレを検出して補正すべき位置ズレ量（補正値）を取得し、その補正値をメモリの所定の記憶領域に記憶し直す処理である。これにより、±４０ドット範囲の粗いＹ方向の調整が行われる。
【０１４７】
続いて、Ｙ方向調整用既存パッチ（１倍）を印字する（Ｓ１０４）。
この処理は、各パッチ枠が２ドットごとの位置ズレ量を持つ本例で標準としている図７に示すテスト印字パターンを図９(a) のように、黒とマゼンタ、黒とシアン、黒とイエローの３種の組み合わせで、図３(a),(b) に示した濃度センサ１９に対応する転写ベルト１４上の位置（テスト印字パターン３９ｒの位置）に印字する処理である。
【０１４８】
そして、Ｙ補正値を取得して、更新処理する（Ｓ１０５）。
この処理は、上記標準のテスト印字パターンを濃度センサ１９で読み取って、基準となる黒トナーの印字位置に対するマゼンタの位置ズレ、シアンの位置ズレ、イエローの位置ズレを検出して補正すべき位置ズレ量（補正値）を取得し、その補正値をメモリの所定の記憶領域に記憶し直す処理である。
【０１４９】
そして、その記憶し直した補正値を、これ以降の印字補正データとして採用する。これにより、±１０ドット範囲の精度の良いＹ方向の位置の調整が完了する。
次に、Ｘ方向調整用拡大パッチ（４倍）を印字する（（Ｓ１０６）。
【０１５０】
この処理では、特には図示しないが、図７に示す各パッチ枠の、同図(b),(c),(d) で説明した位置ズレの方向が、Ｘ方向、つまり図９(a) に矢印で示す印字方向に直交する方向になっているテスト印字パターンを、図３(a),(b) に示した濃度センサ１９に対応する転写ベルト１４上の位置（テスト印字パターン３９ｒの位置）に印字する処理である。
【０１５１】
そして、Ｘ補正値を取得して、更新処理する（Ｓ１０７）。
この処理は、上記のＸ方向に粗い補正値のテスト印字パターンを濃度センサ１９で読み取って、基準となる黒トナーの印字位置に対するマゼンタの位置ズレ、シアンの位置ズレ、イエローの位置ズレを検出して補正すべき位置ズレ量（補正値）を取得し、その補正値をメモリの所定の記憶領域に記憶し直す処理である。これにより、±４０ドット範囲の粗いＸ方向の調整が行われる。
【０１５２】
続いてＸ方向調整用既存パッチ（１倍）を印字する（Ｓ１０８）。
この処理は、各パッチ枠のカラーパッチがＸ方向に２ドットごとの位置ズレ量を持つ本例で標準としている、カラーパッチの位置ズレ方向が異なるだけで図７に示すと同様なテスト印字パターンを、図９(a) のように、黒とマゼンタ、黒とシアン、黒とイエローの３種の組み合わせで、図３(a),(b) に示した濃度センサ１９に対応する転写ベルト１４上の位置（テスト印字パターン３９ｒの位置）に印字する処理である。
【０１５３】
そして、Ｘ補正値を取得して、更新処理する（Ｓ１０９）。
この処理は、上記標準のＸ方向のテスト印字パターンを濃度センサ１９で読み取って、基準となる黒トナーの印字位置に対するマゼンタの位置ズレ、シアンの位置ズレ、イエローの位置ズレを検出して補正すべき位置ズレ量（補正値）を取得し、その補正値をメモリの所定の記憶領域に記憶し直す処理である。
【０１５４】
そして、その記憶し直した補正値を、これ以降の印字補正データとして採用する。これにより、±１０ドット範囲の精度の良いＸ方向の位置の調整が完了する。
続いて、更に、θ方向調整用拡大パッチ（４倍）を印字する（Ｓ１１０）。
【０１５５】
この処理は、上記Ｙ方向調整用拡大パッチ（４倍）と同一のテスト印字パターンを、図３(a),(b) に示した拡散反射型センサ１８と濃度センサ１９にそれぞれ対応する転写ベルト１４上の位置（テスト印字パターン３９ｆ及び３９ｒの位置）に印字する処理である。
【０１５６】
そして、θ補正値を取得して、更新処理する（Ｓ１１１）。
この処理は、図６乃至図１０で説明した方法によりθ方向の補正値を取得し、その取得した補正値をメモリの所定の記憶領域に記憶し直す処理である。これにより、±４０ドット範囲の粗いθ方向の調整が行われる。
【０１５７】
続いて、θ方向調整用既存パッチ（１倍）を印字する（Ｓ１１２）。
この処理は、上記のＹ方向調整用既存パッチ（１倍）と同一のテスト印字パターンを、図３(a),(b) に示した拡散反射型センサ１８と濃度センサ１９にそれぞれ対応する転写ベルト１４上の位置（テスト印字パターン３９ｆ及び３９ｒの位置）に印字する処理である。
【０１５８】
そして、θ補正値を取得して、更新処理する（Ｓ１１３）。
この処理は、図６乃至図１０で説明した方法によりθ方向の補正値を取得し、その取得した補正値をメモリの所定の記憶領域に記憶し直す処理である。
【０１５９】
そして、その記憶し直した補正値を、これ以降の印字補正データとして採用する。これにより、±１０ドット範囲の精度の良いθ方向の位置の調整が完了する。
このように、初期時に大きな位置ズレがあったとしても、自動処理で最初に粗いテスト印字パターンで大枠の位置ズレを補正し、次に標準のテスト印字パターンで細かな位置ズレを補正して、ＸＹθ方向の位置ズレを通常補正範囲の±１０ドットに収めることができるので、これ以降は、電源投入時やジャム処理後における位置ズレ補正は±１０ドットの調整範囲の標準テスト印字パターンで行われる。
【０１６０】
このように、従来出荷時に人の手で行っていたＸＹθ方向位置ズレ補正を、濃度センサと拡散反射型センサを用い、最初に広い範囲のＸＹθ方向の位置ズレ補正、次に狭い範囲のＸＹθ方向の位置ズレ補正を全自動で行うので手数が省けて便利である。
【０１６１】
また、大きな位置ズレから自動補正していくので、ベルト交換時のような大きな位置ズレが予測できる場合でも、操作パネルからの指示入力で上記のような全自動によるＸＹθ方向の位置ズレ補正ができるので、ベルトユニットの交換がユーザでも出来るようになって使い勝手がよくなる。
【０１６２】
尚、上記の処理で、特には図示しなかったが、各処理に対応するフラグ領域を不揮発メモリに設け、各処理が終了するごとに、対応するフラグ領域にフラグを立てるようにする。
【０１６３】
処理の途中で、オペレータが誤って本体装置の保護カバーを開けて緊急停止したり、電源を切ったりした場合に、電源最投入で上記のフラグを調べ、フラグが立っていない処理から処理が中断されたことを認識して、中断された処理から調整処理を再開するようにする。
【０１６４】
また、上記の粗い位置ズレ調整と細かな位置ズレ調整の自動調整が終了した後は、所定のタイミングで細かな位置ズレ調整のみを行うが、その場合は、処理の開始時に細かな位置ズレ調整処理のフラグのみを「０」にリセットして処理を開始すると、この場合も上記同様に、どの処理で中断したかが判明する。
【０１６５】
尚、上記の処理Ｓ１０１におけるθセンサのキャリブレーションを実施する際に、拡散反射型センサ１８の出力を調べて、拡散反射型センサ１８が未接続であるか否か又はショートしているか否かを判断することができる。
【０１６６】
その判断では、先ず、図１２(b) で説明したＬＥＤ５２の光量（ＬＥＤ駆動電圧の制御量）を最小「１」にした時と、最大「２５５」にした時のセンサ出力（Ｄｃ）を測定して、その差分の絶対値｜Ｄｃ｜が０．１Ｖ未満（通常１．５Ｖ程度は望まれる）であった場合に、拡散反射型センサ１８が未接続又はショートしていると判断する。
【０１６７】
そして、このハード異常の調査により、正常と判定された場合にのみ、図１１に示した実際の光量調整処理に入るようにする。
また、光量調整処理では、図１１では説明しなかったが、転写ベルト１４のベルト面の測定平均値ＢＶ１とパッチ測定値ＴＶ１の差分が、１．５Ｖに近づくようなＬＥＤ光量（ベスト光量値Ｎｆ）を検出して調整処理が終了したら、調整後の光量Ｎｆにより、モ−タＯＦＦ状態で、再度図１２(a) に示すテスト印字パターン６１の測定を行なうようにする。
【０１６８】
そして、ベスト感度Ｄｆ（ベルト測定平均値ＢＶ１−パッチ測定光量Ｎｆを求め、それがθ位置ズレ検出可能な感度範囲（図１２(b) に示す許容範囲＝０．８Ｖ以上）に満たない場合は、拡散反射型センサ１８が感度不良であると判断する。
【０１６９】
そして、上記のように、拡散反射型センサ１８が未接続又はショート又は感度不良と判断された場合は、プリンタコントローラ部３２は、操作パネル３５の表示装置等に、サービスコールをオペレータに警告報知する。
【０１７０】
尚、拡散反射型センサ１８は、転写ベルト１４のベルト面に対しても照射光を反射するような性質があり、その場合もＬＥＤ光量の変化で差分が得られるため、ハード異常の調査を上記と同様の制御で電源投入時にも実施することができる。
【０１７１】
ところで、前述したθ方向位置ズレ補正において、ズレ量を測定する場合には、前述のように、拡散反射型センサ１８と濃度センサ１９の２個のセンサを、転写ベルト１４の両端に対応する位置に設置して、その位置にテスト印字パターンを印字することが理想的である。
【０１７２】
しかし、実際には、設置スぺースの問題や画像印字安定領域、測定安定位置など、様々な要因のために、２個のセンサを完全な形で転写ベルト１４の両端に設置することが出来ない場合が多い。
【０１７３】
他方、θ方向位置ズレ補正の対象は、実際には、転写ベルト１４の幅と同等以上の長さの印字ヘッドであるから、その場合、実際に測定したθ方向位置ズレ量と、印字ヘッド長に換算したθ方向位置ズレ量とは異なることになる。しかし、このような場合でも、θ方向位置ズレ補正を精度よく行うことができる。
【０１７４】
図１５は、上記のような転写ベルト両端の２個のセンサ測定間距離と、印字ヘッド長とが異なる場合に発生する測定によるθ方向位置ズレ補正値と、実際に補正すべきθ方向位置ズレ補正値との違いを演算により補間するアルゴリズムを簡略に示す図である。
【０１７５】
尚、同図には図１乃至図４に示した構成と同一の構成部分には、図１乃至図４と同一の番号を付与して示している。
同図において、θ方向位置ズレ検出の基準となる拡散反射型センサ１８と濃度センサ１９の２個の両センサ間の距離をＬ（ｓ）、テスト印字パターン３９ｆ及び３９ｒの測定で取得されたθ方向位置ズレ検出値をθ（α）、これにより作られる角度をα、それら距離Ｌ（ｓ）、検出値θ（α）、角度αで形成される三角形をＴ（α）とする。
【０１７６】
また、実際のθ位置ズレ補正の対象となる印字ヘッド１１の長さをＬ（ｈ）、補正すべき角度をβ、実ヘッドθ位置ズレ補正値θ（β）、それら長さＬ（ｈ）、補正値θ（β）、補正角βで形成される三角形をＴ（β）とする。
【０１７７】
上記のθ方向位置ズレ検出による三角形Ｔ（α）と、実際に補正するべき三角形Ｔ（β）は、互いに相似であるため、以下の式が成り立つ。
θ（α）：θ（β）＝Ｌ（ｓ）：Ｌ（ｈ）
∴θ（β）＝（Ｌ（ｈ）／Ｌ（ｓ））×θ（α）
つまり、両センサの測定により算出された補正値θ〈α）に対し、係数Ｌ（ｈ）／Ｌ（ｓ）を、乗算した値を、印字ヘッドに設定するとよい。
【０１７８】
これにより、自動θ方向位置ズレ補正に関しては、両センサの設置位置が変更されても補正精度を保つことができる。また、センサを最も画像の安定する位置に設けることができるので補正精度が向上する。
【図面の簡単な説明】
【０１７９】
【図１】本発明の実施形態１における画像形成位置調整機能を備えたカラー画像形成装置の内部構成を説明する断面図である。
【図２】実施形態１におけるカラー画像形成装置の内部の回路構成を示す図である。
【図３】(a) は実施形態１におけるカラー画像形成装置のＸＹθ位置ズレ補正機構を示す斜視図、(b) はその平面図である。
【図４】(a) は実施形態１におけるテスト印字パターンを読み取る濃度センサの構成と動作原理を説明する図、(b) は同じく拡散反射型センサの構成と動作原理を説明する図である。
【図５】(a) は実施形態１における拡散反射型センサによりカラートナーのパターンを測定した場合のグラフ、(b) は拡散反射型センサにより黒トナーのパターンを測定した場合のグラフである。
【図６】実施形態１における濃度センサと拡散反射型センサによるθ方向の位置ズレ検出の原理を説明する図である。
【図７】(a) は実施形態１におけるテスト印字パターンのパッチ枠の並び方を示す図、(b),(c),(d) は各パッチ枠内の黒パッチ（Ｋパッチ）と有彩色パッチ（例えばＭパッチ）との重なり関係を模式的に示す断面図である。
【図８】(a),(b) は実施形態１におけるＫパッチとＭパッチの重なり関係をより具体的に模式的に示す断面図を拡散反射型センサと共に示す図である。
【図９】(a) は実施形態１における拡散反射型センサのパッチ明度の検出機能を実験するために使用されたテスト印字パターンを模式的に示す図、(b) はそのテスト印字パターンを濃度センサと拡散反射型センサで読み取らせた場合のセンサ出力チャートを示す図ある。
【図１０】実施形態１における拡散反射型センサのセンサ出力に基づいて行われるθ方向の位置ズレ補正値の算出方法を説明する図である。
【図１１】実施形態２における拡散反射型センサの機能調整を行う処理のフローチャートである。
【図１２】(a) は実施形態２における処理工程において中間転写ベルト上にカラートナー１色で印字された拡散反射型センサ用のキャリブレーションチャートを示す図、(b) は拡散反射型センサの機能調整中のセンサ出力を示す図である。
【図１３】実施形態３におけるＸＹθ各方向の位置ズレを全自動で補正する処理のフローチャートである。
【図１４】(a),(b),(c) は実施形態３における処理において用いられるテスト印字パターンのパッチ組み合わせの構成を説明する図である。
【図１５】２個のセンサ測定間距離と印字ヘッド長とが異なる場合に発生する測定によるθ方向位置ズレ補正値と実際に補正すべきθ方向位置ズレ補正値との違いを演算により補間するアルゴリズムを簡略に示す図である。
【符号の説明】
【０１８０】
１      画像形成装置
２      画像形成部
３      中間転写ベルトユニット
４      給紙部
５      定着部
６（６Ｍ、６Ｃ、６Ｙ、６Ｋ）  画像形成ユニット
７      感光体ドラム
８      クリーナ
９      帯電ローラ
１１    印字ヘッド
１２    現像器
１３    現像ローラ
１４    転写ベルト
１５    駆動ローラ
１６    従動ローラ
１７    一次転写ローラ
１８    拡散反射型センサ
１９    濃度センサ
２１    ベルトクリーナ
２２    給紙カセット
２３    用紙取出ローラ
２４    給送ローラ対
２５    待機搬送ローラ対
２６    二次転写ローラ
２７    ベルト式定着装置
２８    搬出ローラ対
２９    上部排紙トレー
３１    インターフェイス（Ｉ／Ｆ）
３２    プリンタコントローラ部
３３    ＥＥＰＲＯＭ
３４    ＲＯＭ
３５    操作パネル
３６    ヘッドコントローラ部
３７    温湿度センサ
３８    高圧ユニット
３９（３９ｆ、３９ｒ）  テスト印字パターン
４１    発光部
４２（４２−１、４２−２、４２−３）  受光部
４３（４３−１、４３−２）  偏向ビームスプリッタ
４４    投光
４５    検出面
４６    反射光
４７、５１  入射面垂直方向振動光成分（Ｓ波光）
４８、４９  入射面平行方向振動光成分（Ｐ波光）
５２    ＬＥＤ
５３    受光素子
５４    トナー
５５    照射光
５６    拡散光
５７    画像形成空白領域
５８    黒トナーのパッチ（Ｋパッチ）
５９    有彩色トナーのパッチ
５９−１  マゼンタトナーのパッチ（Ｍパッチ）
６０    テスト印字パターン
６１    キャリブレーションチャート
６２    画像形成空白領域
【図２】
2008058821.tif 000003
【図６】
2008058821.tif 000004
【図１０】
2008058821.tif 000005
【図１１】
2008058821.tif 000006
【図１３】
2008058821.tif 000007
【図１】
2008058821.tif 000008
【図３】
2008058821.tif 000009
【図４】
2008058821.tif 000010
【図５】
2008058821.tif 000011
【図７】
2008058821.tif 000012
【図８】
2008058821.tif 000013
【図９】
2008058821.tif 000014
【図１２】
2008058821.tif 000015
【図１４】
2008058821.tif 000016
【図１５】
2008058821.tif 000017